(57)【要約】    【課題】  フェーダ部の数を節約しつつ、簡単な操作で複数の再生機器の切り替えを行うことができる再生機器切替装置、再生機器切替方法及び再生機器切替用プログラムを提供する。    【解決手段】  入力された音声信号を調整して出力するフェーダ部１６と、複数の再生機器から出力される音声信号のうち、いずれの音声信号をフェーダ部１６による調整の対象とするかを選択的に切り替える切替部１０と、フェーダ部１６による調整レベルを検知するレベル検知部１２と、レベル検知部１２によって、フェーダ部１６が最小レベルにあると検知した場合に、切替部１０に再生機器の切り替えを指示する切替制御部１１と、切替部１０の切り替え条件を設定する切替設定部１３とを有する。【選択図】  図１
2006185476.tif 000002
【特許請求の範囲】
【請求項１】
入力された音声信号を調整して出力する調整部と、
前記調整部の数よりも多い複数の再生機器から出力される音声信号のうち、いずれの音声信号を前記調整部による調整の対象とするかを選択的に切り替える切替部と、
前記調整部による調整レベルを検知するレベル検知部と、
前記レベル検知部によって、前記調整部が所定のレベルにあると検知した場合に、前記切替部に再生機器の切り替えを指示する切替制御部と、
前記切替部の切り替え条件を設定する切替設定部と、
を有することを特徴とする再生機器切替装置。
【請求項２】
前記切替設定部は、再生機器の切り替えの順序を設定する切替順序設定部を有することを特徴とする請求項１記載の再生機器切替装置。
【請求項３】
前記切替設定部は、前記レベル検知部の検知基準を設定する検知基準設定部を有することを特徴とする請求項１又は請求項２記載の再生機器切替装置。
【請求項４】
前記切替部による再生機器の切替を解除する解除手段を有することを特徴とする請求項１〜３のいずれか１項に記載の再生機器切替装置。
【請求項５】
切替設定部が、複数の再生機器の切り替え条件を設定し、
レベル検知部が、再生機器からの音声信号を調整して出力する単一の調整部が所定のレベルにあると検知し、
切替制御部が、前記切り替え条件に従って再生機器の切り替えを指示し、
切替部が、前記切替制御部による切り替え指示に応じて、再生機器から出力される音声信号のうち、いずれの音声信号を前記調整部による調整の対象とするかを選択的に切り替えることを特徴とする再生機器切替方法。
【請求項６】
前記切替設定部は、前記再生機器の切り替えの順序を設定することを特徴とする請求項５記載の再生機器切替方法。
【請求項７】
前記切替設定部には、前記レベル検知部の検知基準を設定することを特徴とする請求項５又は請求項６記載の再生機器切替方法。
【請求項８】
解除手段が、前記切替部による再生機器の切替を解除することを特徴とする請求項５〜７のいずれか１項に記載の再生機器切替方法。
【請求項９】
コンピュータを制御することにより、
複数の再生機器の切り替え条件を設定させ、
再生機器からの音声信号を調整して出力する単一の調整部が、所定のレベルにあることを検知させ、
前記切り替え条件に従って再生機器の切り替えを指示させ、
前記切り替え指示に応じて、再生機器から出力される音声信号のうち、いずれの音声信号を前記調整部による調整の対象とするかを選択的に切り替えさせることを特徴とする再生機器切替用プログラム。
【請求項１０】
前記コンピュータに、再生機器の切り替えの順序を設定させることを特徴とする請求項９記載の再生機器切替用プログラム。
【請求項１１】
前記コンピュータに、前記調整部のレベルの検知基準を設定させることを特徴とする請求項９又は請求項１０記載の再生機器切替用プログラム。
【請求項１２】
前記コンピュータに、再生機器の切替を解除させることを特徴とする請求項９〜１１のいずれか１項に記載の再生機器切替用プログラム。
【発明の詳細な説明】
【技術分野】
【０００１】
本発明は、複数の再生機器から入力された音声信号を、所望の順序で切り替えて出力する再生機器切替装置、再生機器切替方法及び再生機器切替用プログラムに関する。
【背景技術】
【０００２】
従来から、ＣＤプレーヤ（以下、ＣＤとする）、ＤＡＴプレーヤ（以下、ＤＡＴとする）、ＭＤプレーヤ（以下、ＭＤとする）等の再生機器によって再生される音声信号（再生信号）を、放送等において使用する場合は、一度に複数の再生機器を作動させて再生するのではなく、１台ずつ順番に再生していくことが多い。このため、再生機器やマイク等からの種々の音声信号をミキシングして出力するミキシング装置は、使用する再生機器を切り替える機能を備えている。
【０００３】
一般的に、ミキシング装置は、再生機器が接続された各回線に音量等の調整を行う調整手段を備えており、これらの出力信号を、ミキシング手段によってミキシングして出力することができる（特許文献１参照）。ここで、再生機器を切り替える機能については、例えば、以下のように実現されている。すなわち、図９に示すように、ミキシング装置３０における各回線に、それぞれフェーダ部３２が設けられ、再生機器（ＣＤ４０、ＤＡＴ５０、ＭＤ６０）及びマイク７０が接続されている。フェーダ部３２は、図１０に示すように、上下にスライドさせるつまみ３２ａによって、各回線の音量を調整する調整手段である。
【０００４】
そして、各フェーダ部３２のつまみの位置を最小レベルから少しでも上げると、対応する再生機器が作動指示によって作動し、再生信号を出力する。出力された再生信号は、マイク７０からの音声信号とミキシング部３３においてミキシングされ、外部へ出力される。なお、図中、３１はヘッドアンプである。
【０００５】
さらに、各フェーダ部３２は、つまみの位置を最小レベルに戻すと、対応する再生機器が停止指示によって停止するので、再生信号の出力が停止する。このように、フェーダ部３２のつまみを昇降させることによって、複数の再生機器による音声信号の再生を選択的に行っていた。なお、再生機器の出力停止は、別途設けられた手操作用のスイッチで行うこともあった。
【特許文献１】特開２００２−３２８６７７号公報
【発明の開示】
【発明が解決しようとする課題】
【０００６】
しかしながら、上記のような従来のミキシング装置における再生機器の切り替え機能は、接続される再生機器の台数分の回線を用意して、それぞれにフェーダ部を備えておく必要があった。このため、切り替える再生機器の台数を増加させる場合には、設計の段階で、フェーダ部を多数設けておかなければならなかった。このようなフェーダ部の増大は、ミキシング装置全体の大型化を招くことになり、操作の煩雑さにも繋がる。
【０００７】
本発明は、上記のような従来技術の問題点を解決するために提案されたものであり、その目的は、調整部の数を節約しつつ、簡単な操作で複数の再生機器の切り替えを行うことができる再生機器切替装置、再生機器切替方法及び再生機器切替用プログラムを提供することにある。
【課題を解決するための手段】
【０００８】
上記の目的を達成するため、請求項１の発明は、入力された音声信号を調整して出力する調整部と、前記調整部の数よりも多い複数の再生機器から出力される音声信号のうち、いずれの音声信号を前記調整部による調整の対象とするかを選択的に切り替える切替部と、前記調整部による調整レベルを検知するレベル検知部と、前記レベル検知部によって、前記調整部が所定のレベルにあると検知した場合に、前記切替部に再生機器の切り替えを指示する切替制御部と、前記切替部の切り替え条件を設定する切替設定部と、を有することを特徴とする。
【０００９】
請求項５の発明は、切替設定部が、複数の再生機器の切り替え条件を設定し、レベル検知部が、再生機器からの音声信号を調整して出力する単一の調整部が所定のレベルにあると検知し、切替制御部が、前記切り替え条件に従って再生機器の切り替えを指示し、切替部が、前記切替制御部による切り替え指示に応じて、再生機器から出力される音声信号のうち、いずれの音声信号を前記調整部による調整の対象とするかを選択的に切り替えることを特徴とする。
【００１０】
請求項９の発明は、コンピュータを制御することにより、複数の再生機器の切り替え条件を設定させ、再生機器からの音声信号を調整して出力する単一の調整部が、所定のレベルにあることを検知させ、前記切り替え条件に従って再生機器の切り替えを指示させ、前記切り替え指示に応じて、再生機器から出力される音声信号のうち、いずれの音声信号を前記調整部による調整の対象とするかを選択的に切り替えさせることを特徴とする。
【００１１】
以上のような請求項１、５及び９の発明では、再生機器よりも少ない調整部による調整が、所定のレベルから変動するとともに、再生機器の切り替えが自動的に行われる。従って、調整部の数を節約しつつ、切り替え操作を簡単にすることができる。
【００１２】
請求項２の発明は、請求項１の再生機器切替装置において、前記切替設定部は、再生機器の切り替えの順序を設定する切替順序設定部を有することを特徴とする。
請求項６の発明は、請求項５の再生機器切替方法において、前記切替設定部は、前記再生機器の切り替えの順序を設定することを特徴とする。
請求項１０の発明は、請求項９の再生機器切替用プログラムにおいて、前記コンピュータに、再生機器の切り替えの順序を設定させることを特徴とする。
【００１３】
以上のような請求項２、６及び１０の発明では、ユーザの所望の切り替え順序を設定しておくことによって、種々の切り替えパターンを実現することができる。
【００１４】
請求項３の発明は、請求項１又は請求項２の再生機器切替装置において、前記切替設定部は、前記レベル検知部の検知基準を設定する検知基準設定部を有することを特徴とする。
請求項７の発明は、請求項５又は請求項６の再生機器切替装置において、前記切替設定部は、前記レベル検知部の検知基準を設定することを特徴とする。
請求項１１の発明は、請求項９又は請求項１０の再生機器切替用プログラムにおいて、前記コンピュータに、前記調整部のレベルの検知基準を設定させることを特徴とする。
【００１５】
以上のような請求項３、７及び１１の発明では、調整部のレベルの検知基準を設定することにより、例えば、所定のレベルとなってから所定の時間経過した場合にのみ切り替えを行うようにすることができるので、誤操作等を防止できる。
【００１６】
請求項４の発明は、請求項１〜３のいずれか１項の再生機器切替装置において、前記切替部による再生機器の切替を解除する解除手段を有することを特徴とする。
請求項８の発明は、請求項５〜７のいずれか１項の再生機器切替方法において、解除手段が、前記切替部による再生機器の切替を解除することを特徴とする。
請求項１２の発明は、請求項９〜１１のいずれか１の再生機器切替用プログラムにおいて、前記コンピュータに、再生機器の切替を解除させることを特徴とする。
【００１７】
以上のような請求項４、８及び１２の発明では、切替解除が可能なので、再生機器の自動切替を行うか、再生機器を固定して使用するかを選択でき、応用範囲が広がる。
【発明の効果】
【００１８】
本発明によれば、フェーダ部の数を節約しつつ、簡単な操作で複数の再生機器の切り替えを行うことができる再生機器切替装置、再生機器切替方法及び再生機器切替用プログラムを提供することにある。
【発明を実施するための最良の形態】
【００１９】
以下、本発明を実施するための最良の形態（実施形態）について、図面を参照して説明する。
［第１の実施形態］
［構成］
まず、第１の実施形態を説明する。すなわち、本実施形態の再生機器切替装置は、ミキシング装置１００の一部として構成されている。なお、図１には、１チャネル分の装置が示されているが、実際のミキシング装置は、多数のチャネルが用意され、それぞれのチャネルにおいて、再生機器切替装置が構成されている。このようなミキシング装置１００には、音源となる再生機器であるＣＤ２００、ＤＡＴ３００、ＭＤ４００が接続されるとともに、音声を入力するためのマイク５００が接続されている。ミキシング装置１００は、切替部１０、切替制御部１１、レベル検知部１２、切替設定部１３、ヘッドアンプ（ＨＡ）１４，１５、フェーダ部１６，１７、ミキシング部１８を備えている。
【００２０】
切替部１０は、ＣＤ２００、ＤＡＴ３００、ＭＤ４００のいずれの再生機器を音源とするかを切り替える手段である。各再生機器は、図２に示すように、再生信号が入力される回線１０Ａ−１〜１０Ａ−３と、各再生機器の動作を制御する信号が出力される回線１０Ｂ−１〜１０Ｂ−３を介して、切替部１０に接続されている。回線１０Ａ−１〜１０Ａ−３には、それぞれスイッチ１０Ｃ−１〜１０Ｃ−３が設けられている。回線１０Ｂ−１〜１０Ｂ−３には、それぞれスイッチ１０Ｄ−１〜１０Ｄ−３が設けられている。
【００２１】
音声信号用の回線１０Ａ−１〜１０Ａ−３は、再生信号を出力するための単一の回線１０Ｅに接続されている。動作制御信号が出力される回線１０Ｂ−１〜１０Ｂ−３は、機器動作制御信号が入力される単一の回線１０Ｆに接続されている。さらに、各スイッチ１０Ｃ−１〜１０Ｃ−３，１０Ｄ−１〜１０Ｄ−３は、これらを制御するための回線切替制御信号が入力される回線１０Ｇに接続されている。
【００２２】
切替制御部１１は、回線制御部１１ａ及び機器制御部１１ｂを有している。回線制御部１１ａは、レベル検知部１２における検知信号と、切替設定部１３における設定内容に基づいて、切替部１０におけるスイッチ１０Ｃ−１〜１０Ｃ−３，１０Ｄ−１〜１０Ｄ−３の切り替えを指示する手段である。機器制御部１１ｂは、レベル検知部１２における検知信号と、切替設定部１３における設定内容に基づいて、切替部１０を介して、再生機器の作動、停止を指示する信号を出力する手段である。
【００２３】
レベル検知部１２は、フェーダ部１６の調整レベルを検知する手段である。切替設定部１３は、再生機器の切り替え条件を設定する手段であり、切り替えの契機となる検知基準を設定する検知基準設定部１３ａと、切り替えの順序を設定する切替順序設定部１３ｂとを有している。検知基準設定部１３ａには、例えば、切り替えの契機として、レベル検知部１２によって検知されるフェーダ部１６の調整レベルが最小レベルであること、そして、その最小レベルとなってからの経過時間が設定されている。
【００２４】
切替順序設定部１３ｂには、例えば、図３に示すように、各チャンネル毎に、切り替え対象となる再生機器を記述したテーブルが設定されている。図３では、３種類の再生機器を切り替える順序が設定されている。なお、切替設定部１３に対する設定は、例えば、スイッチ、キーボード、マウス、タッチパネル等の入力手段（図示せず）から入力することによって、行うことができる。
【００２５】
また、ヘッドアンプ１４，１５は、ミキシング部に適した信号レベルに入力信号レベルを揃える手段である。フェーダ部１６，１７は、図４に示すように、スライドするつまみの位置に応じて、音量を調整する調整部である。さらに、ミキシング部１８は、選択された再生機器及びマイクからの音声信号をミキシングして、外部に出力する手段である。
【００２６】
なお、ミキシング装置１００を実現するための回路は、例えば、これらの機能を実現するＡＳＩＣやＣＰＵ等のＩＣチップやその他の周辺回路によって構成したり、複数の機能を集約したシステムＬＳＩによって構成する等、種々考えられるものであり、特定のものには限定されない。切替設定部１３としてどのような種類、容量のメモリを確保するか、設定内容のデータ形式等についても自由である。また、レベル検知部１２による検知の際、最小レベルとなってからの経過時間の測定に内蔵のタイマを用いるが、これも一般的な技術で設計可能である。ハードウェア処理によって実現する範囲とソフトウェア処理によって実現する範囲も自由である。
【００２７】
また、パーソナルコンピュータやサーバ装置のような汎用のコンピュータを、プログラムで制御することで実現することもできる。この場合のプログラムは、コンピュータのハードウェアを物理的に活用することで、本実施形態における各部の機能を実現するものであり、かかるプログラム及びプログラムを記録したハードディスク、ＣＤ−ＲＯＭ、ＤＶＤ−ＲＯＭその他の種々の記録媒体は単独でも本発明の一態様である。従って、例えば、コンピュータにアプリケーションプログラムをインストールすることにより、本実施形態を構成することもできる。
【００２８】
［作用］
［処理の概要］
本実施形態による切替処理の概要は、以下の通りである。すなわち、ユーザがフェーダ部１６のつまみ１６ａを最小レベルまで下げると、切替制御部１１によって制御される切替部１０が、切替設定部１３に設定された順序に従って、音源として使用する再生機器（ＣＤ２００、ＤＡＴ３００、ＭＤ４００）のいずれかを選択的に切り替える。そして、ユーザがフェーダ部１６のつまみ１６ａを最小レベルから上げると、新たに選択された再生機器の再生信号とマイク５００からの音声信号が、ミキシング部１８においてミキシングされて出力される。
【００２９】
［処理の詳細］
以上のような処理の詳細を、図５のフローチャートを参照して説明する。まず、切替部１０に接続された再生機器ＣＤ２００、ＤＡＴ３００、ＭＤ４００について、切替順序設定部１３ｂに切り替えの順序を設定する（ステップ５０１）。設定内容は、例えば、図３のようなテーブルであるが、ここでは、チャンネル１に関する制御に絞って説明する。なお、第１回目の回線から最後の回線まで切り替えた後に、再び第１回目の回線に切り替えるか（繰り返し設定）、切替処理を終了するかを設定することもできる。また、フェーダ部１６が最小レベルとなってから、切り替え処理に移行するための基準となる時間（例えば、数秒）は、デフォルトで設定されていてもよいし、ユーザが所望の値を設定してもよい。
【００３０】
上記のような設定後、実行スイッチ（図示せず）をＯＮにすることにより、切替機能を有効とすると（ステップ５０２）、切替設定部１３は、１回目の設定内容を切替制御部１１に出力する（ステップ５０３）。１回目に接続すべき再生機器はＣＤ２００であるから、回線制御部１１ａは、切替部１０に対して、ＣＤ２００に対応するスイッチ１０Ｃ−１，１０Ｄ−１のＯＮを指示すると、ＣＤ２００に対応する回線１０Ａ−１，１０Ｂ−１が接続される（ステップ５０４）。
【００３１】
ユーザのつまみ操作によって、レベル検知部１２によって検知されるフェーダ部１６のレベルが、最小よりも上である場合には（ステップ５０５）、機器制御部１１ｂは、ＣＤ２００に対して作動指示信号を出力する（ステップ５０６）。これにより、ＣＤ２００が作動するので、１回目の再生機器であるＣＤ２００からの音声信号が、フェーダ部１６により調整されてミキシング部１８に入力され、マイク５００からの音声信号とミキシングされて、外部に出力される（ステップ５０７）。
【００３２】
次に、ユーザがフェーダ部１６を操作して最小レベルまで下げた状態が、検知基準設定部１３ａに設定された時間経過したことを、レベル検知部１２が検知した場合には（ステップ５０８）、機器制御部１１ｂは、ＣＤ２００に対して停止指示信号を出力する（ステップ５０９）。これにより、ＣＤ２００からの音声信号の出力が停止する（ステップ５１０）。
【００３３】
切替順序設定部１３ｂは、設定内容に、次の再生機器がある場合には（ステップ５１１）、次（２回目）の設定内容を切替制御部１１に出力する（ステップ５１２）。２回目に接続すべき再生機器はＤＡＴ３００であるから、回線制御部１１ａは、切替部１０に対して、ＣＤ２００に対応するスイッチ１０Ｃ−１，１０Ｄ−１のＯＦＦを指示するとともに、ＤＡＴ３００に対応するスイッチ１０Ｃ−２，１０Ｄ−２のＯＮを指示する。よって、ＣＤ２００に対応する回線１０Ａ−１，１０Ｂ−１が切断され、ＤＡＴ３００に対応する回線１０Ａ−２，１０Ｂ−２が接続される（ステップ５１３）。
【００３４】
ユーザのつまみ操作によって、レベル検知部１２によって検知されるフェーダ部１６のレベルが、最小よりも上となった場合には（ステップ５１４）、機器制御部１１ｂは、ＤＡＴ３００に対して作動指示信号を出力する（ステップ５１５）。これにより、ＤＡＴ３００が作動するので、２回目の再生機器であるＤＡＴ３００からの再生信号が、フェーダ部１６により調整されてミキシング部１８に入力され、マイク５００からの音声信号とミキシングされて、外部に出力される（ステップ５１６）。
【００３５】
上記のように、フェーダ部１６が最小レベルになる度に、切替順序設定部１３ｂに設定された次の再生機器への切り替えが行われる（ステップ５０８〜５１６）。そして、最後に設定された回線の後は（ステップ５１１）、実行スイッチがＯＦＦとされなければ（ステップ５１７）、切替順序設定部１３ｂの設定が繰り返しとなっている場合（ステップ５１８）、第１回目の再生機器への切り替え処理へと移行して、上記と同様の処理を繰り返す（ステップ５０３以降）。設定が繰り返しでない場合には（ステップ５１８）、処理を終了する。
【００３６】
［効果］
以上のような本実施形態によれば、ＣＤ２００、ＤＡＴ３００、ＭＤ４００等の再生機器からの音声を切り替えて出力する場合に、フェーダ部１６を再生機器の台数分用意する必要がなくなるので、装置全体の小型化が可能となる。また、各チャンネルについて、単一のフェーダ部１６を上げ下げする度に、複数の再生機器の切り替えを自動的に行うことができるので、ユーザの操作負担がより一層軽減される。
【００３７】
切替設定部１３の切替順序設定部１３ｂに、ユーザの所望の切り替え順序を設定できるので、種々の切り替えパターンを実現できる。そして、切替設定部１３の検知基準設定部１３ａにおける設定により、最小レベルとなってから、所定の時間が経過した場合にのみ切り替えが行われるので、誤操作により一瞬だけ最小レベルとしてしまった場合のような意図しない切り替えを防止できる。
【００３８】
［第２の実施形態］
［構成］
次に、第２の実施形態を説明する。本実施形態は、基本的には、上記の第１の実施形態とほぼ同様の構成を有している。但し、本実施形態においては、回線制御部１１ａと切替部１０との間に、切替制御信号の出力を解除するためのリモートスイッチ１９が設けられている。このリモートスイッチ１９は、図７に示すように、フェーダ部１６のスライドつまみの近傍に設けられたボタンによって操作可能に構成されている。
【００３９】
［作用］
［処理の概要］
本実施形態は、リモートスイッチ１９と機器制御部１１ｂとのＡＮＤ条件で、再生機器の切替を実現するものである。つまり、フェーダ部１６を上げておいてから、リモートスイッチ１９をＯＮとすることで、再生機器に対して機器動作指示を出力することが可能になるが、リモートスイッチ１９をＯＦＦにすると、その時の回線接続状態で固定になり、フェーダ部１６の上げ下げに応じた再生機器の切り替えは行われない。このように、リモートスイッチ１９は、切替機能を解除する解除手段として機能し、回線を強制的に固定することができる。
【００４０】
［処理の詳細］
以上のような処理の詳細を、図８のフローチャートを参照して説明する。なお、上記の第１の実施形態と同様の処理については、説明を簡略化する。まず、最初の段階では、リモートスイッチ１９は、ＯＮになっているものとする。そして、切替部１０に接続された再生機器について、切替順序設定部１３ｂに切り替えの順序を設定する（ステップ８０１）。設定後、実行スイッチをＯＮにすることにより、切替機能を有効とすると（ステップ８０２）、切替設定部１３は、１回目の設定内容を切替制御部１１に出力する（ステップ８０３）。
【００４１】
このとき、リモートスイッチ１９はＯＮになっているため、切替処理に移行する（ステップ８０４）。つまり、回線制御部１１ａは、切替部１０に対して、１回目に接続すべきＣＤ２００に対応するスイッチ１０Ｃ−１，１０Ｄ−１のＯＮを指示すると、ＣＤ２００に対応する回線１０Ａ−１，１０Ｂ−１が接続される（ステップ８０５）。
【００４２】
ユーザのつまみ操作によって、レベル検知部１２によって検知されるフェーダ部１６のレベルが、最小よりも上となった場合には（ステップ８０６）、機器制御部１１ｂは、ＣＤ２００に対して作動指示信号を出力する（ステップ８０７）。これにより、ＣＤ２００が作動するので、１回目の再生機器であるＣＤ２００からの音声信号が、フェーダ部１６により調整されてミキシング部１８に入力され、マイク５００からの音声信号とミキシングされて、外部に出力される（ステップ８０８）。
【００４３】
次に、ユーザがフェーダ部１６を操作して最小レベルまで下げた状態が、検知基準設定部１３ａに設定された時間経過したことを、レベル検知部１２が検知した場合には（ステップ８０９）、機器制御部１１ｂは、ＣＤ２００に対して停止指示信号を出力する（ステップ８１０）。これにより、ＣＤ２００からの音声信号の出力が停止する（ステップ８１１）。
【００４４】
そして、リモートスイッチ１９がＯＮのままであれば（ステップ８１２）、切替順序設定部１３ｂが、設定内容に、次の再生機器がある場合には（ステップ８１３）、次（２回目）の設定内容を切替制御部１１に出力するので（ステップ８１４）、ＣＤ２００に対応する回線１０Ａ−１，１０Ｂ−１が切断され、ＤＡＴ３００に対応する回線１０Ａ−２，１０Ｂ−２が接続される（ステップ８１５）。
【００４５】
ユーザのつまみ操作によって、フェーダ部１６のレベルが、最小よりも上となった場合には（ステップ８１６）、機器制御部１１ｂは、ＤＡＴ３００に対して作動指示信号を出力するので（ステップ８１７）、ＤＡＴ３００が作動して、音声信号が出力される（ステップ８１８）。
【００４６】
このように、上記の実施形態と同様に、フェーダ部１６が最小レベルになる度に、切替順序設定部１３ｂに設定された次の再生機器への切り替えが行われる（ステップ８０９〜８１８）。但し、本実施形態においては、ある再生機器による再生中に、ユーザがリモートスイッチ１９をＯＦＦにすると（ステップ８１２）、回線制御部１１ａからの切替指示が切替部１０に出力できなくなるので、次の再生機器への切り替えは行われない。そして、ユーザのつまみ操作によって、フェーダ部１６のレベルが、最小よりも上となった場合には（ステップ８１６）、機器制御部１１ｂは、現在再生中の再生機器に対して作動指示信号を出力するので（ステップ８１７）、同じ再生機器による音声出力が継続する（ステップ８１８）。
【００４７】
ユーザが切り替え処理を有効としたい場合には、再びリモートスイッチ１９をＯＮとしておく。すると、上記の通り、フェーダ部１６が最小レベルになる度に、切替順序設定部１３ｂに設定された次の再生機器への切り替えが行われる（ステップ８０９〜８１８）。さらに、最後に設定された回線の後は、実行スイッチがＯＦＦとされなければ（ステップ８１９）、切替順序設定部１３ｂの設定が繰り返しの場合（ステップ８２０）、第１回目の再生機器への接続処理へと移行して、上記と同様の処理を繰り返す（ステップ８０３以降）。設定が繰り返しでない場合には（ステップ８２０）、処理を終了する。
【００４８】
［効果］
以上のような本実施形態によれば、上記の第１の実施形態と同様の作用効果が得られるとともに、リモートスイッチ１９を設けることによって、ユーザが、各チャンネルについて、再生機器の自動切替を行うか、再生機器を固定して使用するかを選択できるので、応用範囲が広がり、利便性が向上する。
【００４９】
［他の実施形態］
本発明は、上記のような実施形態に限定されるものではない。操作のためのインタフェースの具体的態様については、自由である。例えば、フェーダ部を操作するための入力手段についても、スライドつまみには限定されない。回転させるつまみであってもよいし、タッチパネルに表示される態様であってもよい。コンピュータにより実現する場合には、ディスプレイに擬似的に表示されるスライドつまみを、キーボード、マウス、タッチパネル等の入力手段によって操作する構成であってもよい。さらに、選択されている機器をフェーダ部の近傍に設けられたランプの点灯や、ディスプレイに表示させることによって、明示する構成としてもよい。
【００５０】
また、回線数やチャネル数は、特定の数には限定されず、用意する音源の数、ミックスする音声信号の数に応じて、自由に設定可能である。音源の種類も自由である。一つのチャネルにおいて、切替部が複数の回線をＯＮ、ＯＦＦできるようにして、複数の再生機器を選択できるようにしてもよい。切替設定部に設定される切替順序や検知基準についても、上記の実施形態に例示されたものには限定されない。例えば、最小レベル以外のレベルを基準としてもよい。さらに、本発明における音声信号（音声信号が記録されたものを再生する場合の再生信号も含む）は、最終的に空気振動として出力するために電気的に変換されたものを広く含むものである。従って、本発明は、アナログ信号を処理する回路としても、Ａ／Ｄ変換を介してディジタル信号を処理する回路としても実現可能である。
【図面の簡単な説明】
【００５１】
【図１】本発明の第１の実施形態の構成例を示すブロック図である。
【図２】図１の実施形態の切替部の構成例を示すブロック図である。
【図３】図１の実施形態の切替順序設定部に設定されるテーブルの一例を示す図である。
【図４】図１の実施形態のフェーダ部の操作面を示す図である。
【図５】図１の実施形態の処理の流れを示すフローチャートである。
【図６】本発明の第２の実施形態の構成例を示すブロック図である。
【図７】図６の実施形態のフェーダ部の操作面を示す図である。
【図８】図６の実施形態の処理の流れを示すフローチャートである。
【図９】従来のミキシング装置の一例を示すブロック図である。
【図１０】従来のミキシング装置の操作面を示す図である。
【符号の説明】
【００５２】
１０…切替部
１０Ａ−１〜３，１０Ｂ−１〜３，１０Ｅ，１０Ｆ，１０Ｇ…回線
１０Ｃ−１〜３，１０Ｄ−１〜３…スイッチ
１１…切替制御部
１１ａ…回線制御部
１１ｂ…機器制御部
１２…レベル検知部
１３…切替設定部
１３ａ…検知基準設定部
１３ｂ…切替順序設定部
１６，３２…フェーダ部
１６ａ…つまみ
１８，３３…ミキシング部
１９…リモートスイッチ
１４，３１…ヘッドアンプ
３０，１００…ミキシング装置
２００，４０…ＣＤ
３００，５０…ＤＡＴ
４００，６０…ＭＤ
５００，７０…マイク
【図１】
2006185476.tif 000003
【図２】
2006185476.tif 000004
【図３】
2006185476.tif 000005
【図４】
2006185476.tif 000006
【図５】
2006185476.tif 000007
【図６】
2006185476.tif 000008
【図７】
2006185476.tif 000009
【図８】
2006185476.tif 000010
【図９】
2006185476.tif 000011
【図１０】
2006185476.tif 000012